(57)【要約】      （修正有）【課題】ゴミ等の影響を受けずに貯留槽の液面高さを正確に計測できる液面計を提供する。【解決手段】貯留槽の液面２１の高さを計測する液面計１０であって、貯留槽内の液体が流入するように、貯留槽の一定の高さよりも下側の位置から斜め上方に向かって延出する筒状の斜筒１３と、貯留槽の液面が上下する方向を示す鉛直方向の距離と斜筒の傾斜の度合いとに応じて示される第１目盛１３Ｃと、を備える。【選択図】図２
2017194292.tif 000002
【特許請求の範囲】
【請求項１】
貯留槽の液面高を計測する液面計であって、
前記貯留槽内の液体が流入するように、前記貯留槽の一定の高さよりも下側の位置から斜め上方に向かって延出する筒状の斜筒と、
前記貯留槽の液面が上下する方向を示す鉛直方向の距離と前記斜筒の傾斜の度合いとに応じて示される第１目盛と、
を備えることを特徴とする液面計。
【請求項２】
前記貯留槽内の液体が流入するように、前記貯留槽の一定の高さよりも下側の位置から鉛直上方に向かって延出するように設けられ、前記鉛直方向の距離を示す第２目盛を有する筒状の鉛直筒と、
をさらに備えることを特徴とする請求項１に記載の液面計。
【請求項３】
前記斜筒は、前記鉛直筒内の前記液体が流入するように設けられる、第１斜筒と、前記第１斜筒よりも下側に設けられる第２斜筒と、を含み、
前記第１斜筒の前記鉛直筒に近い側の端の下側の位置と、前記第２斜筒の前記鉛直筒とは反対側の端の上側の位置と、が実質的に同じ高さになるように設けられる
ことを特徴とする請求項２に記載の液面計。
【請求項４】
前記斜筒内において、前記液体に対して浮遊するように第１浮体を
さらに備えていることを特徴とする請求項１乃至請求項３の何れか一項に記載の液面計。
【請求項５】
前記鉛直筒内において、前記液体に対して浮遊するように第２浮体を
さらに備えていることを特徴とする請求項２乃至請求項４に記載の液面計。
【発明の詳細な説明】
【技術分野】
【０００１】
本発明は、液面計に関する。
【背景技術】
【０００２】
例えば、縦管にフロートが配置されている水位調節型水閘が知られている。（例えば特許文献１）。
【先行技術文献】
【特許文献】
【０００３】
【特許文献１】特開２０１２−１３２２５２号
【発明の概要】
【発明が解決しようとする課題】
【０００４】
特許文献１では、水門を上下動させる弁の動きに応じて変動する水位を計測するための水閘であって、管内にフロートが配置されている縦管を有し、フロートの位置に基づいて水位を判定する水位調整型水閘が開示されている。
【０００５】
上記の特許文献１を含め一般的に、ダム等の漏水量の計測では、貯留槽に漏水を貯留し、水位計で計測された貯留水の水位を漏水量に換算して計測される。又、計測にあったては、水位計が正常に動作しているか否かが確認できるように、貯留槽内に水位を示す水位ゲージが設けられている。つまり、水位の計測は、水位計のデータを確認するとともに水位ゲージの水位をも目視確認して行われる。しかし、漏水に含まれるゴミ等が水位ゲージに付着することと、波浪の影響で水位ゲージの目盛が読み取りにくいこととにより、作業員が細かな水位（特にｍｍ単位）を確認するには困難な状況が生じることがあった。従って、特許文献１では、縦管にフロートを設けて水位を判定するものであるため、ゴミ等の影響により縦管の細かな水位を確認することが困難な状況が生じる虞があった。
【課題を解決するための手段】
【０００６】
前述した課題を解決する主たる本発明は、貯留槽の液面高を計測する液面計であって、前記貯留槽内の液体が流入するように、前記貯留槽の一定の高さよりも下側の位置から斜め上方に向かって延出する筒状の斜筒と、前記貯留槽の液面が上下する方向を示す鉛直方向の距離と前記斜筒の傾斜の度合いとに応じて示される第１目盛と、を備えることを特徴とする。
【０００７】
本発明の他の特徴については、添付図面及び本明細書の記載により明らかとなる。
【発明の効果】
【０００８】
本発明によれば、作業員は、貯留槽内のゴミ等の影響を受けずに目盛を視認でき、さらに、鉛直方向の距離をより大きな目盛幅を有する水平方向の距離に変換するため、細かな液面の高さ（ｍｍ単位）をも正確に確認できる。
【図面の簡単な説明】
【０００９】
【図１】本実施形態に係る第１実施形態の貯留槽に配置される液面計の一例を示す斜視図である。
【図２】本実施形態に係る第１実施形態の貯留槽に配置される液面計の一例を示す正面図である。
【図３】本実施形態に係る第１実施形態の液面計の一例を示す拡大正面図である。
【図４】本実施形態に係る第１実施形態の液面計の斜筒を−Ｘ方向から見た平面図である。
【図５】他の実施形態の貯留槽に配置される液面計の一例を示す正面図である。
【図６】他の実施形態の液面系の斜筒を−Ｘ方向から見た平面図である。
【図７】従来の漏水量計の一例を示した斜視図である。
【発明を実施するための形態】
【００１０】
本明細書および添付図面の記載により、少なくとも以下の事項が明らかとなる。
【００１１】
図１は、本実施形態に係る第１実施形態の貯留槽に配置される液面計の一例を示す斜視図である。図２は、本実施形態に係る第１実施形態の貯留槽に配置される液面計の一例を示す正面図である。図３は、本実施形態に係る第１実施形態の液面計の一例を示す拡大正面図である。図４は、本実施形態に係る第１実施形態の液面計の斜筒を−Ｘ方向から見た平面図である。図５は、他の実施形態の貯留槽に配置される液面計の一例を示す正面図である。図６は、他の実施形態の液面系の斜筒を−Ｘ方向から見た平面図である。図７は、従来の漏水量計の一例を示した斜視図である。
【００１２】
尚、説明の便宜上、図１では、図２に示す漏水２０を省略して示している。又、以下説明において、Ｘ軸はＹ軸及びＺ軸に垂直に交わる軸であり、Ｙ軸は貯留槽内の水位を示す方向に沿う軸であり、Ｚ軸は貯留槽に流入する液体の流れの方向に沿う軸である。
【００１３】
尚、図１〜図７においては、同一であるものには同一引用数字を用いている。
【００１４】
＝＝＝漏水量計３０＝＝＝
図７を参照しつつ、従来の漏水量計３０について説明する。
【００１５】
ダムの安全管理では、ダムの漏水量管理が重要である。漏水量管理には、図７に示すような、三角堰型の漏水量計３０が用いられる。漏水量計３０は、貯留槽３１、水路３２、水位計升３３、三角プレート３４、水位ゲージ３５、水位計３６を含んで構成されている。ダムの漏水２０は、水路３２を流下して三角プレート３４まで到達し、貯留槽３１内において三角プレート３４の切込み３４Ａの上側（＋Ｙ側）にまで貯水されると、切込み３４Ａから漏水２０が下流側（−Ｚ側）に流下する。貯水された漏水２０は、水位計升３３に設置されている水位計３６で液面の高さが計測される。ダムの漏水量は、この液面の高さに基づいて算出される。
【００１６】
水位計３６で観測された液面の高さは、遠隔にある監視端末（不図示）又は水位計３６の近傍に設置される信号受信装置（不図示）において監視される。作業員は、監視端末又は信号受信装置において水位を確認するが、水位計３６から送信される水位データの正否を確認するために、水位ゲージ３５を目視確認する必要がある。
【００１７】
しかし、水位ゲージ３５には、水路３２を流下する漏水２０に含まれるゴミ等によって汚れが付着する。そして、水位ゲージ３５の汚れのために、作業員が正確な水位を確認することが困難な場合があった。さらに、水位ゲージ３５では、漏水２０の波浪の影響で、細かな水位（特にｍｍ単位）を確認することが困難な場合があった。
【００１８】
そこで、例えば、ダム等において、水位ゲージ３５の汚れの影響で確認しにくかった状況と、漏水２０の波浪の影響で細かな水位の確認が困難であった状況と、を改善するために、本実施形態に係る液面計１０を設置することとする。
【００１９】
つまり、本実施形態に係る液面計１０を利用すれば、後述する鉛直筒１２を貯留槽３１の外側に設けるために、漏水２０に含まれるゴミの影響を受けずに汚れの付着を回避できる。又、後述する斜筒１３を設けるために、鉛直方向の水位を水平方向の水位に変換し、目盛を読みやすく構成されるため、細かな水位を正確に確認することが可能になる。
【００２０】
＝＝＝液面計１０の構成＝＝＝
以下、図１、図２、図３、図４を参照しつつ、本実施形態に係る液面計１０について説明する。尚、図１〜図４に示す液面計１０は、本実施形態に係る液面計１０の説明を容易に理解するための一例である。
【００２１】
＜＜液面計１０＞＞
図１に示されるように、液面計１０は、例えば、ダムからの漏水量を計測する漏水量計３０に付帯する装置である。漏水量計３０は、例えば、水位計３６で計測される水位又は水位ゲージ３５で計測される水位に基づいて、ダムからの漏水量を算出する装置である。又、水位ゲージ３５は、水位計３６が設置されている漏水量計３０の場合において、水位計３６で計測されるデータの正否を確認する目盛として用いられる。液面計１０は、水位ゲージ３５の代わりに設置されるもの、あるいは水位ゲージ３５と共に設置されるものであって、漏水２０の汚れ及び波浪の影響を排除して、水位を計測するための装置である。
【００２２】
図２に示されるように、液面計１０は、貯留槽３１又は水路３２の側面（ＹＺ平面に沿う面）（以下、「貯留槽３１の側面」と称する。）の下部に第１連通孔３１Ａを設けて、後述する鉛直筒１２を第１連通孔３１Ａに連通させて、貯留されている漏水２０を鉛直筒１２内に流入させる。流入された漏水２０は、鉛直筒１２内を、＋Ｙ方向に向かって液面２１の高さと等しいところまで流入する。さらに、鉛直筒１２内において、漏水２０は、液面２１の高さに至るまでに、鉛直筒１２の第２連通孔１２Ｄで連通される後述する斜筒１３に流入する。これにより、作業員は、鉛直筒１２では、例えば第２目盛１２Ｃでｃｍ単位の水位が確認でき、斜筒１３では、例えば第１目盛１３Ｃでｍｍ単位の水位が確認できる。液面計１０は、例えば、開閉部１１、鉛直筒１２、斜筒１３を含んで構成されている。
【００２３】
＜＜開閉部１１＞＞
開閉部１１は、例えば、貯留槽３１の漏水２０が鉛直筒１２内に漏れ出さないように、貯留槽３１と鉛直筒１２とを連通させる後述する第１連通孔３１Ａを開閉する部材である。開閉部１１は、例えば、板状を呈する開閉板１１Ａと、開閉板１１Ａを誘導する枠体（不図示）で構成されている。開閉板１１Ａは、例えば、ステンレスで構成されている。開閉板１１Ａは、設置された状態において、−Ｙ側の端部の領域が第１連通孔３１Ａを閉塞するように配置され、＋Ｙ側の端部が貯留槽３１の側面（ＹＺ平面に沿う面）の＋Ｙ側から突出するように配置されている。又、貯留槽３１の側面から突出している部分については、例えば、作業員が掴みやすいように、Ｌ字型に折り曲げられていることが好ましい。枠体は、例えば、ステンレスで構成されている。枠体は、例えば、開閉板１１ＡのＹ軸に沿った両端辺が収まる窪みを有し、開閉板１１ＡがＹ軸に沿ってスライドできるように構成されている。特に、枠体の−Ｙ端部の領域には、開閉板１１Ａと第１連通孔３１Ａとが密着して漏水２０が鉛直筒１２内へ漏れ出ないように、例えばゴム製の部材を窪みに設けて構成されていることが好ましい。
【００２４】
＜＜鉛直筒１２＞＞
鉛直筒１２は、例えば、貯留槽３１の側面（ＹＺ平面に沿う面）の下部（−Ｙ側）に設けられている第１連通孔３１Ａに一端が連通し、第１連通孔３１Ａから貯留槽３１内の漏水２０を流入させて、鉛直方向（Ｙ軸に沿う方向）において水位を計測する部材である。鉛直筒１２は、第１連通孔３１Ａを介して漏水２０を流入させるため、鉛直筒１２内の液面２２が貯留槽３１内における波浪の影響を受けないように構成されている。鉛直筒１２は、例えば、無色透明のプラスチック製の材料で形成されている。鉛直筒１２は、例えば設置された状態において、一端が第１連通孔３１Ａに連通しつつ、その一端近傍においてＬ型に屈曲し、屈曲の部分から他端に向かう領域においてＹ軸に沿うように形成されている。そして、鉛直筒１２の他端は、鉛直筒１２の内側にゴミ等が入らないように閉塞されていることが好ましい。但し、閉塞されている部分の一部には、開口孔１２Ａを設けることとする。開口孔１２Ａは、例えば、鉛直筒１２内の気圧を大気圧と等しくすることで、鉛直筒１２に漏水２０を流入させて、空気が抜けるように設けられる小口径の孔である。鉛直筒１２の上部（＋Ｙ側の他端の近傍）には、貯留槽３１の側面に鉛直筒１２を固定させるために、例えば金属製の留め具１２Ｅが設けられている。留め具１２Ｅの鉛直筒１２と反対側の一端は、貯留槽３１の側面に対して溶接又はアンカー止め等で固定されている。
【００２５】
鉛直筒１２の内側には、第２浮体１２Ｂが設けられている。第２浮体１２Ｂは、例えば、鉛直筒１２の直径に略等しい直径の円柱状を呈し、液体に浮くように、内空のプラスチック製あるいはスポンジ状の材質で形成されている。つまり、鉛直筒１２に漏水２０が流入されたとき、第２浮体１２Ｂは、鉛直方向に上がってくる漏水２０の液面２２に浮遊して、液面２２の高さを表示する部材である。従って、作業者は、第２浮体１２Ｂを見ることにより、漏水２０の液面２２の高さを確認することができる。
【００２６】
鉛直筒１２の外周面には、第２目盛１２Ｃが等間隔で付されている。第２目盛１２Ｃは、Ｙ軸に沿って鉛直筒１２の下部（−Ｙ側）から上部（＋Ｙ側）にかけて、例えば１ｃｍ間隔で付されている。これにより、作業者は、漏水２０の液面２１の高さをｃｍ単位で確認することができる。
【００２７】
鉛直筒１２の外周面には、後述する斜筒１３に漏水２０を流出するための第２連通孔１２Ｄが設けられている。第２連通孔１２Ｄは、図２に示されるように、例えば、鉛直筒１２の外周面における貯留槽３１の側面に対向する側とは反対側の領域において、第２目盛１２Ｃに合わせて、Ｙ軸に沿うように設けられている。つまり、第２連通孔１２Ｄは、第２目盛１２Ｃが１ｃｍ毎に付されている場合、鉛直筒１２の外周面を１ｃｍ毎に穿孔して設けられる。又、第２連通孔１２Ｄは、後述する第１浮体１３Ｂが鉛直筒１２に入り込まないように、後述する斜筒１３の直径よりも短い直径であることとする。
【００２８】
＜＜斜筒１３＞＞
斜筒１３は、例えば、鉛直筒１２に設けられている第２連通孔１２Ｄに一端が連通し、第２連通孔１２Ｄから鉛直筒１２内の漏水２０を流入させて、鉛直方向の液面２２の高さを水平方向（Ｘ軸に沿う方向）の長さに変換することにより、液面２１の高さを計測する部材である。斜筒１３は、第２連通孔１２Ｄを介して漏水２０を流入させているため、斜筒１３内の液面２３が貯留槽３１内における波浪の影響を受けないように構成されている。斜筒１３は、例えば、無色透明のプラスチック製の材料で形成されている。斜筒１３は、一端が第２連通孔１２Ｄに連通し、一端から他端へは、−Ｘ方向に向かうに従って＋Ｙ方向に向かうように形成されている。つまり、斜筒１３は、鉛直筒１２から斜め上方（−Ｘ方向のベクトルと＋Ｙ方向のベクトルを合成したベクトルが示す方向）に向かって延出するように設けられている。斜筒１３の他端は、空気が抜けるように、開口１３Ａを有して形成されることが好ましい。但し、開口１３Ａの径は、図４に示されるように、後述する第１浮体１３Ｂが斜筒１３から放出されないように、第１浮体１３Ｂの径よりも狭く形成されている。
【００２９】
斜筒１３の内側には、第１浮体１３Ｂが設けられている。第１浮体１３Ｂは、例えば、斜筒１３の直径に略等しい直径の球状を呈し、液体に浮くように、内空のプラスチック製あるいはスポンジ状の材質で形成されている。つまり、斜筒１３に漏水２０が流入したときに、第１浮体１３Ｂは、斜筒１３内を上がってくる漏水２０の液面２３に浮遊して、液面２３の位置を表示する部材である。従って、作業者は、第１浮体１３Ｂを見ることにより、漏水２０の液面２１の位置を確認することができる。尚、斜筒１３内が漏水２０で満たされたとき、第１浮体１３Ｂは、開口１３Ａの内縁に嵌め込まれて、斜筒１３内の漏水２０が開口１３Ａから放出するのを防ぐように構成されている。
【００３０】
斜筒１３の外周面には、第１目盛１３Ｃが等間隔に付されている。第１目盛１３Ｃは、一端から他端にかけて、例えば斜筒１３の外周面に１ｃｍ間隔で付されている。第１目盛１３Ｃは、漏水２０を鉛直方向の高さにおいてｍｍ単位で表すものを、斜筒１３の長手方向に沿った長さにおいてｃｍ単位で表すために付されている。
【００３１】
斜筒１３は、例えば、鉛直筒１２の第２目盛１２Ｃ毎に設けられている第１連通孔３１Ａの夫々に連通して設けられている。これにより、漏水２０が鉛直筒１２に流入すると、漏水２０の液面２３の高さに等しい位置まで第１浮体１３Ｂが移動するため、作業員は、漏水２０の液面２３の高さを確認することができる。具体的には、図２に示されるように、例えば、水位が２０．５ｃｍの場合、漏水２０が鉛直筒１２の第２目盛１２Ｃの２０ｃｍと２１ｃｍとの間まで流入し、さらに第２目盛１２Ｃの２０ｃｍに対応する斜筒１３の第１目盛１３Ｃの５ｍｍまで流入する。第２目盛１２Ｃと第１目盛１３Ｃとに基づいて、作業員は、漏水２０の液面２１が２１．５ｍｍであることを確認できる。
【００３２】
斜筒１３は、図３に示されるように、Ｙ軸に沿って隣り合う夫々の斜筒１３については、上側（＋Ｙ側）の斜筒１３の第２連通孔３１ＡＡの下端と、下側（−Ｙ側）の斜筒１３の開口１３ＡＡの上端とが同じ高さになるように構成されている。これにより、鉛直筒１２の１目盛分を、水平方向の長さに対応する斜筒１３の長さ分で表すことができる。具体的に述べると、例えば、鉛直筒１２の第１目盛１３Ｃの夫々が１ｃｍの幅で構成され、斜筒１３が１０ｃｍの長さで構成されている場合、鉛直筒１２において１ｍｍ分の液面２２の高さは、斜筒１３において１ｃｍ分の長さで表現される。ちなみに、この場合において、水平方向の長さは、斜筒１３の長さに対して、斜筒１３とＸ軸とで成す角度（θ）のコサイン（ｃｏｓ）を掛けて、算出される。従って、作業員は、鉛直方向（Ｙ方向）の細かい液面２１の高さを、斜筒１３の長さ又は水平方向の長さに拡大、変換して確認することができる。
【００３３】
＝＝＝液面計１０の動作＝＝＝
以下、図１、図２を参照しつつ、本実施形態における液面計１０の動作について説明する。
【００３４】
貯留槽３１には、ダムからの漏水２０が貯水されている。漏水２０は、三角プレート３４の切込み３４Ａから下流に漏出する。貯水されている漏水２０の液面２１の高さに基づいて、漏水量が求められる。
【００３５】
通常、図１に示されるように、水位計３６の計測結果に基づいて、水位計３６に接続されている漏水量演算器（不図示）により漏水量が算出される。しかし、水位計３６から出力される算出結果が正しいとは限らず、水位計３６の水位の正否を確認するために、作業員は液面計１０で示される液面（２２，２３）の高さを確認する。
【００３６】
先ず、作業員は、開閉部１１を＋Ｙ方向に引き抜いて、鉛直筒１２に漏水２０を流入させる。流入した漏水２０は、鉛直筒１２を満たすように、その液面２２が＋Ｙ方向に上昇する。鉛直筒１２内の液面２２は、貯留槽３１内の液面２１の高さに等しい高さを示す。さらに、鉛直筒１２の液面２２が上昇するときに、鉛直筒１２の液面２２よりも−Ｙ側において鉛直筒１２に連通されている斜筒１３にも漏水２０が流入し、斜筒１３の液面２３が斜筒１３の長手方向に上昇する。この状態において、鉛直筒１２では、第２浮体１２Ｂが貯留槽３１の液面２１の高さまで押し上げられ、斜筒１３では、第１浮体１３Ｂが鉛直筒１２の液面２２の高さに応じた位置まで移動させられる。
【００３７】
次に、作業員は、第２浮体１２Ｂの下側端部（−Ｙ端部）が示す鉛直筒１２の第２目盛１２Ｃを確認し、第１浮体１３Ｂの下側端部（−Ｙ端部）が示す斜筒１３の第１目盛１３Ｃを確認する。例えば、第２目盛１２Ｃからはｃｍ単位の液面２１の高さがわかり、第１目盛１３Ｃからは第２目盛１２Ｃの最小目盛幅を斜筒１３の長さで等分したｍｍ単位の液面２１の高さがわかる。
【００３８】
上述したように、作業員は、貯留槽３１内の液面２１の高さを計測することができる。
【００３９】
＝＝＝他の実施形態＝＝＝
＜＜液面計１０＞＞
上記において、液面計１０は、ダムからの漏水量を計測するために用いられるものとして説明したが、これに限定されない。例えば、ダムの漏水量の計測のみに用いられるものではなく、液体が貯留されている貯留槽３１のようなものから内部の液体を流出させ、鉛直筒１２及び斜筒１３に液体を流入させて、貯留槽３１の液面２１の高さを計測できればよく、その設置される環境が限定されるものではない。
【００４０】
＜＜開閉部１１＞＞
上記において、液面計１０は、開閉部１１を含んで構成されるとして説明したが、これに限定されない。例えば、液面計１０には、開閉部１１が含まれなくても良い。
【００４１】
上記において、開閉部１１は、板状を呈する開閉板１１Ａと、開閉板１１Ａを誘導する枠体で構成されているとして説明したが、これに限定されない。開閉部１１は、キャップ形状のもので第１連通孔３１Ａを閉塞してもよく、つまり、第１連通孔３１Ａを閉塞できればよいため、その形状を限定するものではない。
【００４２】
＜＜鉛直筒１２＞＞
上記において、液面計１０は、鉛直筒１２を含んで構成されるとして説明したが、これに限定されない。例えば、液面計１０には、鉛直筒１２が含まれなくても良い。この場合は、図５に示されるように、斜筒１３は、一端が貯留槽３１の側面に連通され、一端から他端へは−Ｘ方向に向かうに従って＋Ｙ方向に向かうように形成されているものとする。
【００４３】
上記において、第２目盛１２Ｃは鉛直筒１２の外周面に１ｃｍ間隔で付されているとして説明したが、これに限定されない。例えば、第２目盛１２Ｃは鉛直筒１２の外周面に１ｍｍ間隔で付されていてもよく、その間隔の長さを限定するものではない。
【００４４】
上記において、第１連通孔３１Ａは鉛直筒１２の外周面における貯留槽３１の側面とは反対側の領域にＹ軸に沿って設けられているとし説明したが、これに限定されない。例えば、第１連通孔３１Ａは鉛直筒１２の外周面であればどこでもよく、その設けられる場所を限定するものではない。
【００４５】
＜＜斜筒１３＞＞
図５に示されるように、鉛直筒１２が設けられていない場合には、斜筒１３の一端が貯留槽３１の側面に連通され、一端から他端へは−Ｘ方向に向かうに従って＋Ｙ方向に向かうように斜筒１３が形成されているものとする。つまり、斜筒１３は、貯留槽３１の側面に対して鋭角を成して傾斜するように複数がＹ軸に沿って等間隔に設けられている。尚、説明の便宜上、斜筒１３の他の構成は、上記の説明における鉛直筒１２を貯留槽３１の側面に読み替えて適用し、その説明を省略する。
【００４６】
上記において、斜筒１３は、鉛直筒１２の第２連通孔１２Ｄに一端が連通するように設けられているとして説明したが、これに限定されない。例えば、鉛直筒１２が貯留槽３１の側面に第１連通孔３１Ａと連通して設けられ、鉛直筒１２とは別に斜筒１３が貯留槽３１の側面に第１連通孔３１Ａとは別に設けられる連通孔（不図示）と連通して設けられていてもよい。つまり、鉛直筒１２と斜筒１３とは、夫々が別々に貯留槽３１の側面に連通されていてもよい。但し、鉛直筒１２の隣り合う夫々の第２目盛１２Ｃ間の距離を斜筒１３の長手方向の長さに変換するために、鉛直筒１２の隣り合う夫々の第２目盛１２Ｃのうち下側の目盛と斜筒１３の連通孔との高さを合わせて設けられ、さらに、鉛直筒１２の隣り合う夫々の第２目盛１２Ｃのうち上側の目盛と斜筒１３の連通孔に連通されている一端とは反対側の他端の高さを合わせて設けられることとする。
【００４７】
上記において、斜筒１３の他端は開口１３Ａを有して形成されるとして説明したが、これに限定されない。例えば、図６に示されるように、開口１３Ａに開閉弁１３Ｄを設けて構成されていてもよい。開閉弁１３Ｄは、＋Ｘ方向にのみ開く構造のものであって、斜筒１３内の空気を放出するために、開閉弁１３Ｄが閉じた状態において開口１３Ａとの間に隙間１３Ｅを有するか又は鉛直筒１２の開口孔１２Ａのような孔（不図示）を有するように形成されるものが好ましい。
【００４８】
上記において、第１目盛１３Ｃは鉛直筒１２の外周面に１ｍｍ間隔で付されているとして説明したが、これに限定されず、その間隔の長さが限定されるものではない。
【００４９】
上記において、斜筒１３の外周面には第１目盛１３Ｃが等間隔に付されているとして説明したが、これに限定されない。例えば、斜筒１３とは別に鉛直筒１２から延出するように目盛（不図示）が設けられていてもよい。この場合、目盛は、一端が貯留槽３１の側面に固定（溶接等）され、水平方向（Ｘ方向）又は斜筒１３の長手方向に沿って設けられることとする。
【００５０】
＝＝＝まとめ＝＝＝
以上説明したように、本実施形態に係る液面計１０は、貯留槽３１の液面高を計測する液面計１０であって、貯留槽３１内の液体が流入するように、貯留槽３１の一定の高さよりも下側の位置から斜め上方に向かって延出する筒状の斜筒１３と、貯留槽３１の液面２１が上下する方向を示す鉛直方向（Ｙ軸に沿った方向）の距離と斜筒１３の傾斜の度合いとに応じて示される第１目盛１３Ｃと、を備える。本実施形態によれば、鉛直方向の距離の幅を水平方向の距離に拡大するため、正確に液面２１の高さを計測できる。
【００５１】
又、本実施形態に係る液面計１０は、貯留槽３１内の液体が流入するように、貯留槽３１の一定の高さよりも下側の位置から鉛直上方に向かって延出するように設けられ、鉛直方向の距離を示す第２目盛１２Ｃを有する筒状の鉛直筒１２と、をさらに備える。本実施形態によれば、液面２１を貯留槽３１外で計測することから、液面計１０にゴミ等が付着しないため、正確に液面２１の高さを計測できる。又、鉛直筒１２と斜筒１３とを一体的に構成しなくてもよいため製作が容易になる。
【００５２】
又、本実施形態に係る液面計１０は、斜筒１３は、鉛直筒１２内の漏水２０が流入するように設けられる、第１斜筒１３と、第１斜筒１３よりも下側に設けられる第２斜筒１３と、を含み、第１斜筒１３の鉛直筒１２に近い側の端の下側（−Ｙ側）の位置と、第２斜筒１３の鉛直筒１２とは反対側の端の上側（＋Ｙ側）の位置と、が実質的に同じ高さになるように設けられる。本実施形態によれば、第２目盛１２Ｃの１幅分を斜筒１３の長さに拡大するため、正確に液面２１の高さを計測できる。
【００５３】
又、本実施形態に係る液面計１０は、斜筒１３は、漏水２０に対して浮遊するように第１浮体１３Ｂをさらに有している。本実施形態によれば、斜筒１３内の液面２３の高さを、第１浮体１３Ｂを用いて正確に計測できる。
【００５４】
又、本実施形態に係る液面計１０は、鉛直筒１２は、漏水２０に対して浮遊するように第２浮体１２Ｂをさらに有している。本実施形態によれば、鉛直筒１２内の液面２２の高さを、第２浮体１２Ｂを用いて正確に計測できる。
【００５５】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５６】
１０  液面計
１２鉛直筒
１２Ｂ  第２浮体
１２Ｃ  第２目盛
１３  斜筒
１３Ｂ  第１浮体
１３Ｃ  第１目盛
２０  漏水
２１  液面
３１  貯留槽
【図１】
2017194292.tif 000003
【図２】
2017194292.tif 000004
【図３】
2017194292.tif 000005
【図４】
2017194292.tif 000006
【図５】
2017194292.tif 000007
【図６】
2017194292.tif 000008
【図７】
2017194292.tif 000009